(57)【要約】【課題】設置する際の作業性を向上できる開口部の防水装置を提供する。【解決手段】構造物１の開口部６を開閉する開閉体４に対して屋外側に設置されて開口部を閉塞するシート１０と、開口部の幅方向の端部に位置する柱状の支持部材２に対してシートを保持する保持部９と、支持部材の内部に設けられ、シートを収納する収納部５と、収納部を閉塞する蓋部材８と、を備える。保持部９は、例えば、蓋部材８に設けられてもよく、収納部５に設けられてもよい。【選択図】図６
2014234586.tif 000002
【特許請求の範囲】
【請求項１】
構造物の開口部を開閉する開閉体に対して屋外側に設置されて前記開口部を閉塞するシートと、
前記開口部の幅方向の端部に位置する柱状の支持部材に対して前記シートを保持する保持部と、
前記支持部材の内部に設けられ、前記シートを収納する収納部と、
前記収納部を閉塞する蓋部材と、
を備えることを特徴とする開口部の防水装置。
【請求項２】
前記保持部は、前記蓋部材に設けられている
請求項１に記載の開口部の防水装置。
【請求項３】
前記保持部は、前記収納部に設けられている
請求項１に記載の開口部の防水装置。
【請求項４】
更に、前記シートの一辺に固定され、剛性を有する棒状部材を備え、
前記保持部は、前記棒状部材と係合して前記シートを保持する
請求項１から３のいずれか１項に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
防水装置を設置する際の作業性を向上できることが望まれている。例えば、設置箇所の近くに防水装置を収納しておくことができれば、設置に要する時間の短縮を図ることができる。
【０００５】
本発明の目的は、設置する際の作業性を向上できる開口部の防水装置を提供することである。
【課題を解決するための手段】
【０００６】
本発明の開口部の防水装置は、構造物の開口部を開閉する開閉体に対して屋外側に設置されて前記開口部を閉塞するシートと、前記開口部の幅方向の端部に位置する柱状の支持部材に対して前記シートを保持する保持部と、前記支持部材の内部に設けられ、前記シートを収納する収納部と、前記収納部を閉塞する蓋部材と、を備えることを特徴とする。
【０００７】
上記開口部の防水装置は、収納部にシートを収納しておくことができるため、設置する際の作業性を向上させることができる。
【０００８】
上記開口部の防水装置において、前記保持部は、前記蓋部材に設けられていることが好ましい。
【０００９】
上記開口部の防水装置は、蓋部材に保持部が設けられているため、別途保持部を設ける必要がないという利点がある。
【００１０】
上記開口部の防水装置において、前記保持部は、前記収納部に設けられていることが好ましい。
【００１１】
上記開口部の防水装置は、収納部に保持部が設けられているため、別途保持部を設ける必要がないという利点がある。
【００１２】
上記開口部の防水装置において、更に、前記シートの一辺に固定され、剛性を有する棒状部材を備え、前記保持部は、前記棒状部材と係合して前記シートを保持することが好ましい。
【００１３】
上記開口部の防水装置によれば、シートを容易に保持部に保持させることができる。
【発明の効果】
【００１４】
本発明に係る開口部の防水装置によれば、設置する際の作業性を向上できるという効果を奏する。
【図面の簡単な説明】
【００１５】
【図１】図１は、第１実施形態に係る開口部の防水装置の平面図である。
【図２】図２は、第１実施形態に係る開口部の防水装置の要部を示す平面図である。
【図３】図３は、第１実施形態に係る開口部の防水装置の要部を示す斜視図である。
【図４】図４は、蓋部材を開いた状態を示す斜視図である。
【図５】図５は、保持部によってシートが保持された状態を示す斜視図である。
【図６】図６は、保持部によってシートが保持された状態を示す平面図である。
【図７】図７は、第１実施形態の第１変形例に係る開口部の防水装置の収納時の状態を示す図である。
【図８】図８は、第１実施形態の第１変形例に係る開口部の防水装置の使用時を示す図である。
【図９】図９は、第２実施形態に係る開口部の防水装置の収納状態を示す斜視図である。
【図１０】図１０は、第２実施形態に係る開口部の防水装置の収納状態を示す平面図である。
【図１１】図１１は、第２実施形態に係る開口部の防水装置の使用状態を示す斜視図である。
【図１２】図１２は、第２実施形態に係る開口部の防水装置の使用状態を示す平面図である。
【図１３】図１３は、第３実施形態に係る開口部の防水装置の収納状態を示す斜視図である。
【図１４】図１４は、第３実施形態に係る開口部の防水装置の使用状態を示す斜視図である。
【発明を実施するための形態】
【００１６】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１７】
［第１実施形態］
図１から図６を参照して、第１実施形態について説明する。本実施形態は、開口部の防水装置に関する。図１は、本発明の第１実施形態に係る開口部の防水装置の平面図、図２は、第１実施形態に係る開口部の防水装置の要部を示す平面図、図３は、第１実施形態に係る開口部の防水装置の要部を示す斜視図、図４は、蓋部材を開いた状態を示す斜視図、図５は、保持部によってシートが保持された状態を示す斜視図、図６は、保持部によってシートが保持された状態を示す平面図である。
【００１８】
図１には、第１実施形態に係る開口部の防水装置１−１を鉛直方向の上方から見た図が示されている。第１実施形態に係る開口部の防水装置１−１は、シート１０と、保持部９と、収納部５と、蓋部材８とを含んで構成されている。
【００１９】
シート１０は、構造物１の開口部６を開閉する開閉体４に対して屋外側に設置されて開口部６を閉塞するものである。本実施形態に係るシート１０の形状は、例えば、矩形である。シート１０は、後述するように、開閉体４と、支持部材２と、床面７とを一体に覆うことで開口部６を閉塞し、屋内への水の浸入を抑制する。
【００２０】
保持部９は、開口部６の幅方向の端部に位置する柱状の支持部材２に対してシート１０を保持する。収納部５は、支持部材２の内部に設けられ、シート１０を収納する。蓋部材８は、収納部５を閉塞するものである。
【００２１】
第１実施形態に係る構造物１は、店舗であり、開口部６は店舗の出入口である。店舗のフロント部分は板状のガラス３によって屋内と屋外とが仕切られている。支持部材２は、ガラス３を支持する枠部としての機能を有しており、ガラス３の縁部が支持部材２に嵌め込まれている。支持部材２は、開口部６の幅方向の両端部にそれぞれ設けられた柱状の部材であり、鉛直方向に延在している。支持部材２は、床面７から、少なくとも開閉体４におけるシート１０によって覆われる領域の上端位置まで設けられている。
【００２２】
本実施形態に係る構造物１では、一対の支持部材２，２によって開口部６の幅方向の端部が形成されている。つまり、開口部６の幅は、一対の支持部材２，２の互いに対向する面（以下、「内側面」と称する。）２２，２２同士の距離である。支持部材２は、断面矩形の部材であり、その外周面は、開口部６の幅方向と平行な２つの平面と、幅方向と直交する２つの平面とを有する。支持部材２は、例えば、アルミ等の金属材料で構成されている。
【００２３】
本実施形態の開閉体４は、両開きのスライド式の自動ドアである。開閉体４は、２枚のドア４１，４２を有する。ドア４１，４２は、それぞれドア枠４１ａ，４２ａと、ガラス４１ｂ，４２ｂとを有する。ガラス４１ｂ，４２ｂは、ドア枠４１ａ，４２ａによって支持されている。ドア４１，４２は、支持部材２に対して屋内側に配置されている。開閉体４は、図示しないモータ等の動力によってドア４１，４２を幅方向に移動させることで開口部６を開放あるいは閉塞する。
【００２４】
シート１０は、図５に示すように、開口部６の下端側の領域を閉塞する。シート１０は、遮水性を有しており、開口部の防水シートとして機能する。また、シート１０は、可撓性を有しており、伸縮可能であってもよい。シート１０の素材は、例えば、樹脂、ゴム、表面を樹脂などでコーティングした布等である。シート１０は、水圧による開閉体４の変形に追従できる素材で構成されることが好ましい。
【００２５】
図１に示すように、シート１０の幅は、開口部６の幅よりも大きい。シート１０は、開閉体４の鉛直方向下端側の部分と、構造物１における開閉体４に隣接する部分とを一体に覆う。本実施形態に係るシート１０は、図１、図５および図６に示すように、保持部９によって支持部材２に対して保持された状態で、開閉体４と、支持部材２と、床面７とを一体に覆う。これにより、シート１０は、開閉体４と支持部材２との隙間や開閉体４と床面７との隙間、ドア４１とドア４２との隙間を介して屋内に水が浸入することを抑制する。
【００２６】
図２に示すように、収納部５は、支持部材２の内部に形成された空洞部である。支持部材２の正面２１、すなわち屋外側の面は、開口部２３を有する。開口部２３は、収納部５と屋外の空間とを連通する。言い換えると、収納部５は、支持部材２に形成された凹部であり、屋外に向けて開口している。
【００２７】
蓋部材８は、収納部５を開放あるいは閉塞する片開き式の開き戸状の部材である。蓋部材８は、回転軸８１を有する。回転軸８１は、鉛直方向に延在しており、中心軸線Ｃ１を回転中心として回動自在に支持されている。回転軸８１は、蓋部材８における開口部６側と反対側の端部に配置されている。蓋部材８は、中心軸線Ｃ１回りに回動することにより、開口部２３を開放あるいは閉塞する。蓋部材８の外側面８２は、平面であり、図２に示すように蓋部材８が収納部５を閉塞した状態で正面２１と面一となる。回転軸８１は、蓋部材８が収納部５を閉塞した状態で外部に露出しないように、外側面８２に対して収納部５側（屋内側）にオフセットされている。
【００２８】
本実施形態の開口部の防水装置１−１では、蓋部材８に保持部９が一体に設けられている。保持部９は、蓋部材８の内側面における開口部６側の端部に配置されている。保持部９は、断面形状が略Ｃ字形状であり、シート１０に設けられた棒状部材１１と係合する。保持部９のスリット部９ａは、中心軸線Ｃ１を中心とする半径方向の外側に形成されている。保持部９を含む蓋部材８は、例えば、アルミ等の金属材料で構成されている。蓋部材８は、支持部材２と同じ材料で構成されていることが好ましい。
【００２９】
収納部５には、シート１０が収納可能である。シート１０の両端には、それぞれ棒状部材１１が固定されている。本実施形態の棒状部材１１は、断面円形の円柱形状の部材である。棒状部材１１は、シート１０の幅方向の両側端部の辺にそれぞれ固定されている。棒状部材１１は、剛性を有しており、シート１０における棒状部材１１が配置された辺を直線状に保持することができる。棒状部材１１は、シート１０に対して接着や溶着等により固定されている。なお、棒状部材１１は、シート１０の端部に設けられた折り返し部に包まれていてもよい。棒状部材１１の外径は、保持部９の中空部に挿入可能であり、かつスリット部９ａから抜け出さない大きさである。
【００３０】
図３に示すように、蓋部材８の下端８４の位置は、床面７の近傍であり、蓋部材８の上端８５の位置は、所定の高さ位置である。所定の高さ位置は、シート１０の高さ方向の設置範囲に応じて定められている。シート１０は、蓋部材８の上端８５よりも上方まで設置可能である。図３に示すように、蓋部材８は、取手８３を有する。取手８３は、蓋部材８の上下方向の中央部、かつ開口部６寄りの位置に設けられており、外側面８２から突出している。
【００３１】
シート１０を開口部６に設置する場合、蓋部材８が開かれる。蓋部材８を外側に向けて開くと、図４に示すように、保持部９が外部に露出する。ユーザーは、取手８３を引っ張り、蓋部材８を開いて収納部５からシート１０を取り出す。
【００３２】
図５に示すように、シート１０の幅方向の端部に固定されている棒状部材１１が、保持部９の中空部に挿入される。ユーザーは、保持部９の上端側から棒状部材１１を保持部９の中空部に挿入する。これにより、保持部９は棒状部材１１と係合した状態となり、シート１０を保持する。棒状部材１１の長さは、保持部９の長さに対応している。本実施形態の棒状部材１１の長さは、保持部９の長さ以上である。よって、棒状部材１１の上端が保持部９の上端から突出するので、シート１０を取り外す際の作業性が良い。ただし、棒状部材１１の長さは、保持部９の長さ未満であってもよい。
【００３３】
棒状部材１１は、シート１０の下端部１０ａには配置されておらず、下端部１０ａは自在に屈曲したり湾曲したりすることができる。シート１０は、下端部１０ａが床面７を覆うように設置される。つまり、シート１０は、床面７と開閉体４とを一体に覆うことができる位置で保持部９によって保持される。
【００３４】
図６に示すように、屋外側から水が寄せてくると、シート１０に対して屋内側に向かう水圧がかかる。開閉体４が支持部材２よりも屋内側に配置されていることから、シート１０は、水圧によって支持部材２から屋内側へ撓むように変形し、支持部材２や開閉体４に向けて押圧される。その際、シート１０が支持部材２のコーナー部２４に当接する。その結果、シート１０は支持部材２および開閉体４に密着し、隙間を塞いで屋内側への水の浸入を抑制する。シート１０は支持部材２と開閉体４とを一体に覆い、開閉体４と支持部材２との隙間を閉塞する。また、シート１０は、その他の隙間、例えばドア４１とドア４２との隙間を閉塞して屋内への水の浸入を抑制する。
【００３５】
また、シート１０は水圧によって床面７に向けて押圧される。これにより、シート１０は、床面７と支持部材２とを一体に覆い、床面７と開閉体４とを一体に覆う。よって、シート１０は、床面７と支持部材２との隙間や床面７と開閉体４との隙間を閉塞し、屋内への水の浸入を抑制する。なお、シート１０の下端部１０ａ上に押圧部材を設置するようにしてもよい。押圧部材は、自重により下端部１０ａを床面７に向けて押圧する部材である。押圧部材がシート１０の下端部１０ａを床面７に向けて押圧することで、シート１０と床面７との間からの浸水をより確実に抑制することができる。押圧部材の形状は、例えば、平板形状とすることができる。
【００３６】
以上説明したように、本実施形態に係る開口部の防水装置１−１は、シート１０を収納する収納部５を有する。従って、シート１０を開口部６に設置する際に、速やかに収納部５からシート１０を取り出して使用することができ、設置する際の作業性を向上することができる。また、シート１０を保持する保持部９は、収納部５を閉塞する蓋部材８に設けられている。蓋部材８を開くだけで保持部９を利用することができ、設置する際の作業性を向上することができる。また、開口部の防水装置１−１を使用しない場合には蓋部材８を閉めるだけで保持部９を収納部５内に隠すことができるため、支持部材２の意匠性に与える影響が軽微である。
【００３７】
なお、本実施形態では収納部５が支持部材２の正面２１に開口していたが、開口位置はこれには限定されない。収納部５の開口部２３は、例えば、支持部材２における内側面２２に設けられてもよい。このようにすれば、正面側から見たときに開口部２３や蓋部材８を目立たなくすることができ、意匠性に与える影響を抑制することができる。
【００３８】
取手８３は、例示したものに限定されない。取手８３は、例えば、埋め込み式や掘り込み式のものであってもよく、回転式の取手であってもよい。
【００３９】
［第１実施形態の第１変形例］
第１実施形態の第１変形例について説明する。図７は、第１実施形態の第１変形例に係る開口部の防水装置１−２の収納時の状態を示す図、図８は、第１実施形態の第１変形例に係る開口部の防水装置１−２の使用時を示す図である。第１変形例の開口部の防水装置１−２において、上記第１実施形態の開口部の防水装置１−１と異なる点は、蓋部材６０が支持部材２に対して着脱可能となっており、使用時には蓋部材６０を裏返して使用する点である。
【００４０】
図７に示すように、支持部材２に設けられた収納部５の開口部２３は、正面２１に設けられている。蓋部材６０の幅方向の両端には、それぞれ係合突起６１が設けられている。係合突起６１は、幅方向に突出する爪状の部分である。支持部材２の開口部２３には、係合突起６１と係合する係合凹部６２が設けられている。ユーザーは、蓋部材６０の両側の係合突起６１をそれぞれ係合凹部６２と係合させることにより蓋部材６０を支持部材２に取り付けて支持部材２に固定することができる。また、ユーザーは、蓋部材６０を収納部５の外部に向けて引っ張り、係合凹部６２から係合突起６１を外すことにより、蓋部材６０を支持部材２から取り外すことができる。このように、本変形例では、蓋部材６０が支持部材２に対して着脱自在である。２箇所の係合突起６１は同様の形状を有している。また、２箇所の係合凹部６２は同様の形状を有している。従って、それぞれの係合突起６１は、いずれの係合凹部６２に対しても係合可能である。
【００４１】
蓋部材６０の表面６３は、平面である。表面６３を外部に向けて蓋部材６０を支持部材２に取り付けると、表面６３と支持部材２の正面２１とが面一となる。表面６３には、上記第１実施形態の取手８３と同様の取手が設けられていてもよい。蓋部材６０の裏面側には、保持部９が設けられている。保持部９は、上記第１実施形態の保持部９と同様に断面形状が略Ｃ字形状である。収納部５には、上記第１実施形態と同様にシート１０が収納可能である。シート１０を収納する収納状態では、蓋部材６０は表面６３を外部に向けて支持部材２に取り付けられ、収納部５を閉塞する。
【００４２】
シート１０を開口部６に設置する場合、ユーザーは、蓋部材６０を支持部材２から取り外し、収納部５からシート１０を取り出す。取り外した蓋部材６０は、図８に示すように、裏返した状態で支持部材２に取り付けられる。これにより、保持部９が収納部５の外部に露出した状態となる。本明細書では、保持部９を外部に露出させて支持部材２に取り付けられた蓋部材６０の状態を「使用状態」とも称する。使用状態の蓋部材６０では、保持部９のスリット部９ａは、開口部６側を向いている。すなわち、蓋部材６０の使用状態において、保持部９の中空部は、開口部６側に向けて開口している。ユーザーは、シート１０の棒状部材１１を保持部９の中空部に挿入して、蓋部材６０によって支持部材２に対してシート１０を保持させることができる。
【００４３】
なお、本変形例では蓋部材６０に係合突起６１が設けられ、支持部材２に係合凹部６２が設けられているが、これとは逆に蓋部材６０に係合凹部６２が設けられ、支持部材２に係合突起６１が設けられてもよい。また、蓋部材６０を支持部材２に対して固定する方法は、係合突起６１と係合凹部６２とを係合させる方法以外のものであってもよい。
【００４４】
［第１実施形態の第２変形例］
第１実施形態の第２変形例について説明する。上記第１実施形態の取手８３に代えて、プッシュ式のマグネットキャッチを用いて蓋部材８を開閉させるようにしてもよい。プッシュ式のマグネットキャッチは、押し込む毎に、吸着状態と開放状態とに切り替わる。吸着状態のマグネットキャッチは、マグネットの吸着力により蓋部材８を支持部材２に吸着させて収納部５を閉塞する。開放状態のマグネットキャッチは、マグネットの吸着力に抗してバネ力により蓋部材８を開放させる。
【００４５】
従って、ユーザーは、蓋部材８が開放した状態から収納部５に向けて蓋部材８を押し込むことにより、マグネットキャッチを吸着状態に切り替えて支持部材２に蓋部材８を固定し、収納部５を閉塞することができる。また、蓋部材８が収納部５を閉塞した状態から蓋部材８を収納部５に向けて押し込むことにより、マグネットキャッチを開放状態に切り替えて蓋部材８を開放させることができる。第２変形例によれば、蓋部材８の取手８３を省略することができる。
【００４６】
［第２実施形態］
図９乃至図１２を参照して、第２実施形態について説明する。第２実施形態については、上記第１実施形態で説明したものと同様の機能を有する構成要素には同一の符号を付して重複する説明は省略する。図９は、第２実施形態に係る開口部の防水装置２−１の収納状態を示す斜視図、図１０は、第２実施形態に係る開口部の防水装置２−１の収納状態を示す平面図、図１１は、第２実施形態に係る開口部の防水装置２−１の使用状態を示す斜視図、図１２は、第２実施形態に係る開口部の防水装置２−１の使用状態を示す平面図である。
【００４７】
図１０に示すように、第２実施形態の開口部の防水装置２−１では、収納部３０の開口部３２は、支持部材２における内側面２２に設けられている。蓋部材４０は、支持部材２に取り付けられて開口部３２を閉塞する。蓋部材４０は、開口部３２の突起と係合する係合部４３を有しており、係合部４３が開口部３２の突起と係合することで支持部材２に対して固定される。蓋部材４０の外側面４４は平面であり、蓋部材４０が支持部材２に取り付けられた状態で内側面２２と面一となる。
【００４８】
収納部３０には、保持部３１が設けられている。保持部３１は、収納部３０の内部の奥側の角部に設けられており、断面形状が略Ｃ字形状である。保持部３１のスリット部３１ａは、支持部２の対角に向かう位置に設けられている。すなわち、保持部３１の中空部は、対角に向けて開口している。また、収納部３０内には、押圧部材１２が収納されている。押圧部材１２は、後述するように、シート１０の下端部１０ａを押圧して床面７からの浮き上がりを抑制する部材である。本実施形態の押圧部材１２は、断面形状が矩形の板状の部材である。押圧部材１２は、例えば、金属材料や樹脂材料で形成されている。
【００４９】
収納部３０には、シート１０が収納可能である。シート１０は、例えば、図１０に示すように巻き取られた状態で収納される。本実施形態に係るシート１０は、図１１および図１２に示すように、ファスナー５０によって連結可能となっている。図１０に示すように、シート１０の幅方向の一端には棒状部材１１が、他端にはファスナー５０のエレメント５１が配置されている。
【００５０】
シート１０を開口部６に設置する場合、ユーザーは、蓋部材４０を支持部材２から取り外し、収納部３０を開放する。ユーザーは、収納部３０からシート１０を取り出し、シート１０の棒状部材１１を保持部３１に挿入する。本実施形態では、保持部３１に切欠部が設けられている。切欠部では、保持部３１が切り欠かれており、保持部３１の中空部に棒状部材１１を軸方向から挿入可能となっている。例えば、保持部３１のスリット部３１ａのスリット幅が他の部分よりも広くされており、棒状部材１１を保持部３１の中空部に軸方向から挿入可能となっている。切欠部は、想定している上限水位よりも上側に設けられていることが好ましい。また、収納部３０の上端３０ａ（図１１参照）および蓋部材４０の上端４０ａ（図９参照）の高さ位置は、それぞれ保持部３１の切欠部の上端よりも上方にあることが好ましい。なお、保持部３１を支持部材２の下端側の一部に設けるようにした場合、棒状部材１１を保持部３１の上端から中空部に挿入することができる。棒状部材１１が保持部３１に挿入されることにより、図１２に示すようにシート１０の棒状部材１１が保持部３１に支持される。これにより、シート１０は、支持部材２によって保持される。本実施形態では、棒状部材１１が剛性を有しているため、棒状部材１１は両端の間の少なくとも一部が保持部３１によって支持されていればよい。本実施形態では、開口部６の両端の支持部材２にそれぞれ収納部３０が設けられている。ユーザーは、各収納部３０から内部のシート１０を取り出して、当該収納部３０の保持部３１に棒状部材１１を挿入する。これにより、２枚のシート１０のうち一方は開口部６の一端側の支持部材２によって支持され、他方のシート１０は他端側の支持部材２によって支持される。
【００５１】
ユーザーは、２枚のシート１０のエレメント５１を位置合わせしてスライダー５２によって係合させる。これにより、２枚のシート１０を連結して１枚のシートとして開口部６を閉塞することができる。本実施形態では、ファスナー５０が防水タイプのものであり、２枚のシート１０のつなぎ目部分から水が浸入することを抑制する。
【００５２】
押圧部材１２は、図１１および図１２に示すように、シート１０の下端部１０ａに載置されて、下端部１０ａを床面７に向けて押圧する。これにより、押圧部材１２は、シート１０の床面７からの浮き上がりを抑制し、シート１０と床面７との間からの水の浸入を抑制する。
【００５３】
なお、本実施形態では２枚のシート１０がファスナー５０によって連結されたが、３枚以上のシート１０がファスナー５０によって互いに連結されるようにしてもよい。このようにすれば、間口の広い開口部６であっても容易にシート１０によって閉塞することが可能となる。また、シート１０は、１枚であってもよい。開口部６の幅が比較的狭い場合には、１枚のシート１０で開口部６の幅方向の一端から他端までを閉塞するようにしてもよい。この場合、シート１０の幅方向の両端に棒状部材１１を配置しておくようにすればよい。
【００５４】
［第２実施形態の第１変形例］
第２実施形態の第１変形例について説明する。収納部３０内にシート１０を自動的に巻き取る巻取機構を設けてもよい。ユーザーは、シート１０を開口部６に設置する場合、蓋部材４０を外し、巻取機構の巻取力に抗してシート１０を引き出す。ファスナー５０のエレメント５１は、シート１０の引出し方向の先端の辺に設けておけばよい。巻取機構には、任意の位置で巻取りをロックするロック機構を設けておくことが好ましい。ユーザーは、シート１０を引き出した後、適当な引出し量で巻取機構をロックし、シート１０同士をファスナー５０によって連結することで開口部６を閉塞することができる。シート１０を収納するときには、ファスナー５０を開き、ロック機構を解除すれば巻取機構が自動的にシート１０を巻き取る。
【００５５】
［第３実施形態］
図１３および図１４を参照して、第３実施形態について説明する。図１３は、第３実施形態に係る開口部の防水装置３−１の収納状態を示す斜視図、図１４は、第３実施形態に係る開口部の防水装置３−１の使用状態を示す斜視図である。上記第１実施形態および第２実施形態では、収納部５，３０が支持部材２における下部に配置されていたが、これに代えて、図１３に示すように収納部７０が支持部材２の上部に設けられてもよい。例えば、収納部７０は、シート１０を設置する範囲Ｓよりも上部に設けられてもよい。このようにすれば、収納部７０に水が浸入することを抑制することができる。蓋部材７１は、支持部材２に取り付けられて収納部７０を閉塞する。
【００５６】
収納部７０を支持部材２の上部に設ける場合、保持部は、蓋部材７１や収納部７０に設けられることに代えて、使用時に支持部材２に固定されるようにしてもよい。例えば、図１４に示すように、保持部７４を有する保持部材７３が支持部材２の正面２１に固定される。保持部材７３は、板状の部材の幅方向端部に保持部７４が設けられた部材である。保持部７４の断面形状は、略Ｃ字形状である。保持部材７３は、例えば、両面接着テープを介して支持部材２に固定される。両面接着テープは、予め保持部材７３に貼着しておくようにすればよい。保持部材７３は、シート１０と共に収納部７０に収納可能である。シート１０を使用しない平常時にはシート１０と保持部材７３を収納部７０に収納しておくことができ、収納スペースを別途設ける必要が無い。
【００５７】
なお、開閉体４は、上記の各実施形態で例示された自動ドアには限定されない。開閉体４は、例えば、開き戸や折れ戸、シャッターカーテン等であってもよい。また、自動で開閉されるものだけでなく、手動で開閉されるものであってもよい。また、開閉体４は、両開きに限らず、片開きのものであってもよい。
【００５８】
上記の各実施形態の構造物１では、開口部６の幅方向の両端に支持部材２が配置されているが、これに限らず、開口部６の幅方向の一端にのみ支持部材２が配置されていてもよい。この場合、支持部材２が配置されている方の端部では、支持部材２に収納部５，３０，７０を設けるようにすればよい。支持部材２が設けられていない方の端部では、例えば、壁面等に保持部を設けることができる。
【００５９】
上記の各実施形態では、構造物１が店舗であったが、これに限定されるものではなく、ギャラリー、展示室、美術館、事務所等の来客や観客が出入りするものであってもよいし、その他の構造物であってもよい。また、本実施形態では、開閉体４が屋内と屋外とを仕切るものであったが、これには限定されず、開閉体４は屋内側と屋外側とを仕切るものであってもよい。例えば、開閉体４は、建屋内における屋外側の通路と屋内側の室内とを仕切るものであってもよい。
【００６０】
上記の各実施形態および変形例に開示された内容は、適宜組み合わせて実行することができる。
【符号の説明】
【００６１】
１−１，１−２，２−１，３−１  開口部の防水装置
１  構造物
２  支持部材
４  開閉体
５，３０，７０  収納部
６  開口部
７  床面
８，４０，６０  蓋部材
９  保持部
１０  シート
１０ａ  下端部
１１  棒状部材
【図１】
2014234586.tif 000003
【図２】
2014234586.tif 000004
【図３】
2014234586.tif 000005
【図４】
2014234586.tif 000006
【図５】
2014234586.tif 000007
【図６】
2014234586.tif 000008
【図７】
2014234586.tif 000009
【図８】
2014234586.tif 000010
【図９】
2014234586.tif 000011
【図１０】
2014234586.tif 000012
【図１１】
2014234586.tif 000013
【図１２】
2014234586.tif 000014
【図１３】
2014234586.tif 000015
【図１４】
2014234586.tif 000016